(57)【要約】【課題】  副音声の合成タイミングをいずれか１系統の主音声のタイミングによって制御しつつ複数系統の主音声に同一の副音声を合成して出力する場合に、各系統の主音声の間のジッタの影響を排除する。【解決手段】  入力する複数系統の主音声Ｓ１〜Ｓ３のうちの１系統の主音声Ｓ１の入力タイミングに応じて副音声Ｓ４の入力を指示する入力指示手段３１と、入力指示手段３１の指示によって入力された副音声信号Ｓ４を主音声Ｓ１に合成する合成手段３２とを有する第１の合成系と、入力指示手段３１の指示によって入力された副音声Ｓ４を蓄積する蓄積手段３４，３７と、残りの主音声Ｓ２，Ｓ３の入力タイミングに応じて蓄積手段３４，３７からの副音声Ｓ４の取出しを指示する取出し指示手段３３，３６と、取出し指示手段３３，３６の指示によって蓄積手段３４，３７から取り出された副音声を主音声Ｓ２，Ｓ３に合成する合成手段３５，３８とを有する第２の合成系とを備える。【選択図】  図２
2006033278.tif 000002
【特許請求の範囲】
【請求項１】
入力する複数系統の主音声信号のうちの１系統の主音声信号の入力タイミングに応じて副音声信号の入力を指示する入力指示手段と、前記入力指示手段の指示によって入力された前記副音声信号を前記１系統の主音声信号に合成する合成手段とを有する第１の合成系と、
前記入力指示手段の指示によって入力された前記副音声信号を蓄積する蓄積手段と、前記複数系統の主音声信号のうちの残りの系統の主音声信号の入力タイミングに応じて前記蓄積手段からの前記副音声信号の取出しを指示する取出し指示手段と、前記取出し指示手段の指示によって前記蓄積手段から取り出された前記副音声信号を前記残りの系統の主音声信号に合成する合成手段とを有する第２の合成系と
を備え、前記第１の合成系，前記第２の合成系によって前記副音声信号を合成した前記複数系統の主音声信号を出力することを特徴とする音声信号出力装置。
【請求項２】
請求項１に記載の音声信号出力装置において、
前記蓄積手段は、前記取出し指示手段によって一度に取出しを指示される量よりも多い量の前記副音声信号を蓄積するまでは、前記取出し指示手段から指示があっても前記副音声信号を出力しないことを特徴とする音声信号出力装置。
【請求項３】
テレビジョン放送用のチューナーと、
前記チューナーで選局された番組を記録する少なくとも１つの記録手段と、
前記チューナーで選局している番組の音声信号及び／または前記記録手段から再生している番組の音声信号を複数系統の主音声信号として同時に出力するための複数の音声出力端子と
を有する記録再生装置において、
前記複数系統の主音声信号のうちの１系統の主音声信号の入力タイミングに応じて副音声信号の入力を指示する入力指示手段と、前記入力指示手段の指示によって入力された前記副音声信号を前記１系統の主音声信号に合成する合成手段とを有する第１の合成系と、
前記入力指示手段の指示によって入力された前記副音声信号を蓄積する蓄積手段と、前記複数系統の主音声信号のうちの残りの系統の主音声信号の入力タイミングに応じて前記蓄積手段からの前記副音声信号の取出しを指示する取出し指示手段と、前記取出し指示手段の指示によって前記蓄積手段から取り出された前記副音声信号を前記残りの系統の主音声信号に合成する合成手段とを有する第２の合成系と
を備え、前記第１の合成系，前記第２の合成系によって前記副音声信号を合成された前記複数系統の主音声信号が前記複数の音声出力端子から出力されることを特徴とする記録再生装置。
【請求項４】
請求項３に記載の記録再生装置において、
前記第２の合成系内の前記蓄積手段は、前記取出し指示手段によって一度に取出しを指示される量よりも多い量の前記副音声信号を蓄積するまでは、前記取出し指示手段から指示があっても前記副音声信号を出力しないことを特徴とする音声信号出力装置。
【発明の詳細な説明】
【技術分野】
【０００１】
本発明は、複数系統の主音声信号に同一の副音声信号を合成して出力する音声信号出力装置や、そうした音声信号出力装置を搭載した記録再生装置に関し、特に、副音声信号の合成タイミングをいずれか１系統の主音声信号のタイミングによって制御する場合に、各系統の主音声信号の間に存在するジッタの影響を排除したものに関する。
【背景技術】
【０００２】
複数系統の主音声信号に同一の副音声信号を合成して出力することが、オーディオ機器やＡＶ（オーディオ・ビジュアル）機器で従来から行われている（例えば、特許文献１参照）。
【０００３】
従来、こうした機器では、主音声信号に副音声信号を合成する際に、各系統の主音声信号の間に生じるジッタに対しては特に考慮は払われていなかった。
【特許文献１】特開平１１−３３１９９１号公報（段落番号０００２〜０００６、図５）
【発明の開示】
【発明が解決しようとする課題】
【０００４】
ところで、近年、テレビジョン番組を録画する装置として、ＨＤＤ（ハードディスクドライブ）及びＤＶＤ（Digital Versatile Disc）ドライブを搭載した録画装置（以下ＨＤＤ搭載ＤＶＤレコーダーと呼ぶ）が普及するに至っている。こうしたＨＤＤ搭載ＤＶＤレコーダーでは、例えば次の（ａ）や（ｂ）のような態様で複数系統の音声信号（主音声信号）を出力できるようになっている。
【０００５】
（ａ）・内蔵チューナーで現在選局している番組
・ＨＤＤから再生している録画済の番組
・ＤＶＤドライブから再生している録画済の番組
という互いに異なる３つの番組の音声信号を、
・ステレオ音声出力端子
・イヤホン用音声出力端子
・デジタル光音声出力端子
という３つの音声出力端子から同時に出力する。
【０００６】
（ｂ）上記チューナー，ＨＤＤ，ＤＶＤドライブのうちのいずれか１つからの音声信号（すなわち同じ番組の音声信号）を、上記３つの音声出力端子から同時に出力する。
【０００７】
こうしたＨＤＤ搭載ＤＶＤレコーダーにおいて、例えば、リモートコントローラが操作されたときに内蔵メモリから電子的な操作音のデータを読み出してその操作音データを各系統の主音声信号に副音声信号として合成したり、あるいは、チューナーで緊急警報信号を受信したときに内蔵メモリから電子的な警報音のデータを読み出してその警報音データを各系統の主音声信号に副音声信号として合成する方法としては、副音声信号の入力タイミングをいずれか１系統の主音声信号のタイミングによって制御するという方法が考えられる。
【０００８】
図５は、この方法を実現するための音声信号出力装置の回路構成例を示すブロック図である。この音声信号出力装置には、３系統の主音声信号（同一のサンプリング周波数のデジタル音声信号）Ｓ１，Ｓ２，Ｓ３が入力する。主音声信号Ｓ１は、ｒｅａｄｙ信号生成回路５１に送られる。主音声信号Ｓ２，Ｓ３は、加算器５３，５４にそれぞれ送られる。
【０００９】
ｒｅａｄｙ信号生成回路５１は、供給された主音声信号Ｓ１をそのままスルーして加算器５２に送るとともに、上位コントローラ（図示略）の制御のもとで、副音声信号を合成すべきとき（例えば前述のようなリモートコントローラの操作時や緊急警報信号の受信時）に、主音声信号Ｓ１中の所定のサンプル数ｎ（副音声信号と同じサンプル数）のデータのタイミングで、１サンプル分ずつの副音声信号の入力を指示するｒｅａｄｙ信号を生成する。このｒｅａｄｙ信号は、副音声信号のデータを記憶しているメモリ（図示略）に、その副音声信号の読出し制御信号として供給される。
【００１０】
このｒｅａｄｙ信号に応じてメモリから読み出された副音声信号Ｓ４は、この音声信号出力装置に入力して加算器５２，５３及び５４に送られる。加算器５２，５３，５４でそれぞれ主音声信号Ｓ１，Ｓ２，Ｓ３に副音声信号Ｓ４を合成された音声信号は、この音声信号出力装置から出力して、それぞれ別々の音声出力端子（図示略）に送られる。
【００１１】
このように、この音声信号出力装置では、主音声信号Ｓ１，Ｓ２，Ｓ３のうちの主音声信号Ｓ１のタイミングによって副音声信号Ｓ４の合成タイミングを制御するようになっており、ｒｅａｄｙ信号生成回路５１及び加算器５２がこの制御を行う側の合成系（「タイミングマスター」と呼ぶことにする）を構成するとともに、加算器５３，５４がそれぞれこの制御を受ける側の合成系（「タイミングスレーブ」と呼ぶことにする）を構成している。
【００１２】
図６は、図５の音声信号出力装置による副音声信号の合成タイミングを例示するタイミングチャートである。タイミングマスターの側では、主音声信号Ｓ１中の或る１サンプル分のデータＳ１（１）の入力タイミングＴ１で、ｒｅａｄｙ信号生成回路５１（図５）からｒｅａｄｙ信号が生成される。そして、その直後のタイミングＴ１’に、メモリから副音声信号Ｓ４中の最初の１サンプル分のデータＳ４（１）が読み出されて入力し、そのデータＳ４（１）が加算器５２（図５）で主音声信号Ｓ１中のデータＳ１（１）に合成される。
【００１３】
また、タイミングスレーブの側では、そのデータＳ４（１）が、加算器５３，５４（図５）でそれぞれ主音声信号Ｓ２，Ｓ３中の１サンプル分のデータＳ２（１），Ｓ３（１）に合成される。
【００１４】
主音声信号Ｓ１中のデータＳ１（１）に続く１サンプル分ずつのデータＳ１（２）〜Ｓ１（ｎ）の入力タイミングＴ２〜Ｔｎでも、タイミングマスターの側では、ｒｅａｄｙ信号生成回路１からｒｅａｄｙ信号が順次生成される。それにより、それぞれその直後のタイミングＴ２’〜Ｔｎ’にメモリから副音声信号Ｓ４中の残りの１サンプル分ずつのデータＳ４（２）〜Ｓ４（ｎ）が順次読み出されて入力し、それらのデータＳ４（２）〜Ｓ４（ｎ）が加算器２で主音声信号Ｓ１中の１サンプル分ずつのデータＳ１（２）〜Ｓ１（ｎ）に順次合成される。
【００１５】
また、タイミングスレーブの側では、それらのデータＳ４（２）〜Ｓ４（ｎ）が、加算器３，４でそれぞれ主音声信号Ｓ２，Ｓ３中の１サンプル分ずつのデータＳ２（２）〜Ｓ２（ｎ），Ｓ３（２）〜Ｓ３（ｎ）に順次合成される。
【００１６】
このようにして、主音声信号Ｓ１中のサンプリング数ｎのデータＳ１（１）〜Ｓ１（ｎ）に１対１に対応してサンプリング数ｎの副音声信号Ｓ４が合成されるとともに、主音声信号Ｓ２，Ｓ３中のサンプリング数ｎのデータＳ２（１）〜Ｓ２（ｎ），Ｓ３（１）〜Ｓ３（ｎ）に１対１に対応してサンプリング数ｎの副音声信号Ｓ４が合成される。
【００１７】
ところが、この図６に示した合成タイミングは、３系統の主音声信号Ｓ１，Ｓ２，Ｓ３の間にジッタが存在しないと想定した場合のものである。
【００１８】
しかし、これらの３系統の主音声信号Ｓ１，Ｓ２，Ｓ３が、前述の（ａ）のようにチューナー，ＨＤＤ，ＤＶＤドライブという互いに異なる回路からの音声信号である場合には、主音声信号Ｓ１，Ｓ２，Ｓ３の間には通常はジッタが生じる。
【００１９】
また、これらの３系統の主音声信号Ｓ１，Ｓ２，Ｓ３が、前述の（ｂ）のようにチューナー，ＨＤＤ，ＤＶＤドライブのうちの同じ１つの回路からの音声信号であっても、その回路からバスを経由して主音声信号Ｓ１，Ｓ２，Ｓ３を図５の音声信号出力装置に入力させるような場合には、バスが非常に込み合っているときにデータの転送速度が遅くなることを原因として、音声信号出力装置に入力する主音声信号Ｓ１，Ｓ２，Ｓ３の間にジッタが生じることがある。
【００２０】
図７は、このようにジッタが存在する場合の副音声信号の合成タイミングを、主音声信号Ｓ２を例にとって図６と関連付けて示すタイミングチャートである。主音声信号Ｓ１中のデータＳ１（２）の入力タイミングＴ２が遅れたことにより、副音声信号Ｓ４中のデータＳ４（２）の入力タイミングＴ２’が遅れている。そのため、データＳ４（２）は、図６に示したように主音声信号Ｓ２中のデータＳ２（２）に合成されるのではなく、データＳ２（３）に合成されている。
【００２１】
その後、主音声信号Ｓ１中のデータＳ１（３）の入力タイミングＴ３は逆に早くなったことにより、副音声信号Ｓ４中のデータＳ４（３）の入力タイミングＴ３’は早くなっている。そのため、副音声信号Ｓ４中のデータＳ４（３）は、図６に示したのと同じく、主音声信号Ｓ２中のデータＳ２（３）に合成されている。
【００２２】
その結果、主音声信号Ｓ２中のサンプリング数ｎのデータＳ２（１）〜Ｓ２（ｎ）とサンプリング数ｎの副音声信号Ｓ４とが１対１に対応しなくなり、データＳ２（２）では副音声信号Ｓ４が欠落し（１サンプル分も合成されず）、データＳ２（３）では副音声信号Ｓ４が重複して合成される（２サンプル分合成される）という現象が生じている。
【００２３】
このような現象が生じると、副音声信号Ｓ４を合成された主音声信号Ｓ２を聴いたときに、副音声信号Ｓ４の欠落部分や重複部分がノイズとして聴こえてしまうことがあるので、音質を低下させる可能性がある。
【００２４】
本発明は、上述の点に鑑み、副音声信号の合成タイミングをいずれか１系統の主音声信号のタイミングによって制御しつつ複数系統の主音声信号に同一の副音声信号を合成して出力する場合に、各系統の主音声信号の間に存在するジッタの影響を排除して、副音声信号が欠落したり重複して合成される現象を防止することを課題としてなされたものである。
【課題を解決するための手段】
【００２５】
この課題を解決するために、本発明に係る音声信号出力装置は、入力する複数系統の主音声信号のうちの１系統の主音声信号の入力タイミングに応じて副音声信号の入力を指示する入力指示手段と、この入力指示手段の指示によって入力された副音声信号をこの１系統の主音声信号に合成する合成手段とを有する第１の合成系と、この入力指示手段の指示によって入力された副音声信号を蓄積する蓄積手段と、複数系統の主音声信号のうちの残りの系統の主音声信号の入力タイミングに応じてこの蓄積手段からの副音声信号の取出しを指示する取出し指示手段と、この取出し指示手段の指示によって蓄積手段から取り出された副音声信号をこの残りの系統の主音声信号に合成する合成手段とを有する第２の合成系とを備え、これらの第１の合成系，第２の合成系によって副音声信号を合成した複数系統の主音声信号を出力することを特徴とする。
【００２６】
この音声信号出力装置は、複数系統の主音声信号に同一の副音声信号を合成して出力するにあたって、副音声信号の合成タイミングをいずれか１系統の主音声信号のタイミングによって制御するものであり、第１の合成系がこの制御を行う側の合成系（前述のタイミングマスター）に該当するとともに、第２の合成系がこの制御を受ける側の合成系（前述のタイミングスレーブ）に該当する。
【００２７】
そして、この音声信号出力装置では、タイミングマスター（第１の合成系）が１系統の主音声信号の入力タイミングに応じて入力させた副音声信号が、タイミングスレーブ（第２の合成系）内で、蓄積手段に一時的に蓄積された後、残りの系統の主音声信号の入力タイミングに応じて蓄積手段から取り出されて残りの系統の主音声信号に合成される。
【００２８】
これにより、タイミングマスター側の１系統の主音声信号とタイミングスレーブ側の残りの系統の主音声信号の間に存在するジッタをこの蓄積手段で吸収することができるので、各系統の主音声信号の間に存在するジッタの影響を排除して、副音声信号が欠落したり重複して合成される現象を防止することができる。
【００２９】
なお、この音声信号出力装置において、一例として、蓄積手段は、取出し指示手段によって一度に取出しを指示される量よりも多い量の副音声信号を蓄積するまでは、取出し指示手段から指示があっても副音声信号を出力しないことが好適である。
【００３０】
それにより、蓄積手段から一度副音声信号を取り出してタイミングスレーブ側の主音声信号への合成を開始した後も、ジッタを吸収して連続して蓄積手段から副音声信号を取り出すこと（蓄積手段内の副音声信号が枯渇するまでに次の副音声信号が入力して蓄積手段に蓄積されるようにすること）ができるので、タイミングスレーブ側の主音声信号に副音声信号を連続して（欠落することなく）合成することができるようになる。したがって、各系統の主音声信号の間に存在するジッタの影響を一層確実に排除することができるようになる。
【００３１】
次に、本発明は、テレビジョン放送用のチューナーと、チューナーで選局された番組を記録する少なくとも１つの記録手段と、チューナーで選局している番組の音声信号及び／または記録手段から再生している番組の音声信号を複数系統の主音声信号として同時に出力するための複数の音声出力端子とを有する記録再生装置において、複数系統の主音声信号のうちの１系統の主音声信号の入力タイミングに応じて副音声信号の入力を指示する入力指示手段と、この入力指示手段の指示によって入力された副音声信号をこの１系統の主音声信号に合成する合成手段とを有する第１の合成系と、この入力指示手段の指示によって入力された副音声信号を蓄積する蓄積手段と、複数系統の主音声信号のうちの残りの系統の主音声信号の入力タイミングに応じてこの蓄積手段からの副音声信号の取出しを指示する取出し指示手段と、この取出し指示手段の指示によってこの蓄積手段から取り出された副音声信号をこの残りの系統の主音声信号に合成する合成手段とを有する第２の合成系とを備え、これらの第１の合成系，前記第２の合成系によって副音声信号を合成された複数系統の主音声信号が複数の音声出力端子から出力されることを特徴とする。
【００３２】
この記録再生装置は、チューナーで選局している番組の音声信号や記録手段から再生している番組の音声信号を複数の音声出力端子から複数系統の主音声信号として出力することのできる記録再生装置に、前述の本発明に係る音声信号出力装置を搭載したものである。
【００３３】
これにより、副音声信号の合成タイミングをいずれか１系統の主音声信号の入力タイミングによって制御しつつ複数系統の主音声信号（チューナーで選局している番組の音声信号や記録手段から再生している番組の音声信号）に同一の副音声信号を合成して出力する場合に、各系統の主音声信号の間に存在するジッタの影響を排除して、副音声信号が欠落したり重複して合成される現象を防止することができる。
【発明の効果】
【００３４】
本発明によれば、例えばＨＤＤ搭載ＤＶＤレコーダーのような記録再生装置等において、副音声信号の合成タイミングをいずれか１系統の主音声信号の入力タイミングによって制御しつつ複数系統の主音声信号に同一の副音声信号を合成して出力する場合に、各系統の主音声信号の間に存在するジッタの影響を排除して、副音声信号が欠落したり重複して合成される現象を防止できるという効果が得られる。
【発明を実施するための最良の形態】
【００３５】
以下、デジタルチューナーを内蔵したＨＤＤ搭載ＤＶＤレコーダーに本発明を適用した例について、図面を用いて具体的に説明する。図１は、本発明を適用したＨＤＤ搭載ＤＶＤレコーダーの回路構成例を示すブロック図である。このＨＤＤ搭載ＤＶＤレコーダーでは、デジタルチューナー１，復調器２，デスクランブラ３，多重分離器４が順に接続されている。多重分離器４には、映像デコーダ５及び音声デコーダ６〜８が接続されている。
【００３６】
映像デコーダ５は映像信号処理回路９に接続されており、映像信号処理回路９は映像出力端子１４に接続されている。音声デコーダ６は、音声信号出力部１０及びＤ／Ａ変換器１１を介してステレオ音声出力端子１５に接続されている。音声デコーダ７は、音声信号出力部１０及びＤ／Ａ変換器１２を介してイヤホン用音声出力端子１６に接続に接続されている。音声デコーダ８は、音声信号出力部１０及び赤外線発光ユニット１３を介してデジタル光音声出力端子１７に接続されている。
【００３７】
また、これらのチューナー１〜音声信号出力部１０と、ＣＰＵ１８と、ＲＯＭ１９と、ＲＡＭ２０と、ＨＤＤ用のインターフェース２１と、ＤＶＤドライブ用のインターフェース２２と、リモートコントローラ用のインターフェース２３とが、システムバス２４に接続されている。インターフェース２１，２２には、それぞれ番組を録画するためのＨＤＤ２５，ＤＶＤドライブ２６が接続されている。
【００３８】
このＨＤＤ搭載ＤＶＤレコーダーに入力したデジタル放送信号は、リモートコントローラ２７での選局操作に基づいてチューナー１で周波数帯を選択された後、復調器２で復調され、デスクランブラ３でスクランブルを解かれた後、多重分離器４で映像・音声データのパケット等に分離される。
【００３９】
番組の視聴時には、この映像データが映像デコーダ５に送られて復号されるとともに、この音声データがリモートコントローラ２７での音声出力端子の選択操作に応じて音声デコーダ６〜８のうちの少なくとも１つに送られて復号される。
【００４０】
他方、番組の録画時には、この映像・音声データが、システムバス２４及びインターフェース２１を経由してＨＤＤ２５で記録されたり，システムバス２４及びインターフェース２２を経由してＤＶＤドライブ２６で記録される。
【００４１】
そして、ＨＤＤ２５で録画した番組の再生時には、ＨＤＤ２５から再生された映像データがインターフェース２１及びシステムバス２４を経由して映像デコーダ５に送られて復号されるとともに、ＨＤＤ２５から再生された音声データがリモートコントローラ２７での音声出力端子の選択操作に応じてインターフェース２１及びシステムバス２４を経由して音声デコーダ６〜８のうちの少なくとも１つに送られて復号される。
【００４２】
また、ＤＶＤドライブ２６で録画した番組の再生時には、ＤＶＤドライブ２６から再生された映像データがインターフェース２２及びシステムバス２４を経由して映像デコーダ５に送られて復号されるとともに、ＤＶＤドライブ２６から再生された音声データがリモートコントローラ２７での音声出力端子の選択操作に応じてインターフェース２１及びシステムバス２４を経由して音声デコーダ６〜８のうちの少なくとも１つに送られて復号される。
【００４３】
映像デコーダ５で復号された映像信号は、映像信号処理回路９で各種の映像信号処理を施された後、映像出力端子１４から出力される。音声デコーダ６で復号された音声信号は、音声信号出力部１０を経てＤ／Ａ変換器１１でアナログ信号に変換されて、ステレオ音声出力端子１５から出力される。音声デコーダ７で復号された音声信号は、音声信号出力部１０を経てＤ／Ａ変換器１２でアナログ信号に変換されて、イヤホン用音声出力端子１６から出力される。音声デコーダ８で復号された音声信号は、音声信号出力部１０を経て赤外線発光ユニット１３で光信号に変換されて、デジタル光音声出力端子１７から出力される。
【００４４】
このＨＤＤ搭載ＤＶＤレコーダーでは、リモートコントローラ２７の操作により、次の（１）や（２）のような態様で２または３系統の音声信号（主音声信号）をステレオ音声出力端子１５，イヤホン用音声出力端子１６，デジタル光音声出力端子１７から同時に出力できるようになっている。
【００４５】
（１）・チューナー１で現在選局している番組
・ＨＤＤ２５から再生している録画済の番組
・ＤＶＤドライブ２６から再生している録画済の番組
という互いに異なる３つの番組のうちの２以上の番組の音声信号を、ステレオ音声出力端子１５，イヤホン用音声出力端子１６，デジタル光音声出力端子１７のうちの２以上の音声出力端子から同時に出力する。
【００４６】
（２）チューナー１，ＨＤＤ２５，ＤＶＤドライブ２６のうちのいずれか１つからの音声信号（すなわち同じ番組の音声信号）を、ステレオ音声出力端子１５，イヤホン用音声出力端子１６，デジタル光音声出力端子１７のうちの２以上の音声出力端子から同時に出力する。
【００４７】
例えばこの（１）の態様の一つとして、チューナー１，ＨＤＤ２５，ＤＶＤドライブ２６からの音声信号をそれぞれステレオ音声出力端子１５，イヤホン用音声出力端子１６，デジタル光音声出力端子１７から出力する場合には、音声デコーダ６にはチューナー１からの音声信号が送られ、音声デコーダ７にはＨＤＤ２５からの音声信号が送られ、音声デコーダ８ではＤＶＤドライブ２６からの音声信号が送られる。
【００４８】
例えばこの（２）の態様の一つとして、ＤＶＤドライブ２６からの音声信号をステレオ音声出力端子１５，イヤホン用音声出力端子１６及びデジタル光音声出力端子１７から出力する場合には、音声デコーダ６〜８には全てＤＶＤドライブ２６からの音声信号が送られる。
【００４９】
また、このＨＤＤ搭載ＤＶＤレコーダーでは、リモートコントローラ２７が操作されたときにＲＯＭ１９から電子的な操作音のデータを読み出してその操作音データを音声信号出力部１０で各系統の主音声信号に副音声信号として合成したり、チューナー１で緊急警報信号を受信したときにＲＯＭ１９から電子的な警報音のデータを読み出してその警報音データを音声信号出力部１０で各系統の主音声信号に副音声信号として合成することができるようになっている。
【００５０】
図２は、音声信号出力部１０の回路構成を示すブロック図である。図1の音声デコーダ６で復号された音声信号は、主音声信号Ｓ１としてこの音声信号出力部１０に入力してｒｅａｄｙ信号生成回路３１に送られる。図1の音声デコーダ７で復号された音声信号は、主音声信号Ｓ２としてこの音声信号出力部１０に入力してｒｅａｄｙ信号生成回路３３に送られる。図1の音声デコーダ８で復号された音声信号は、主音声信号Ｓ３としてこの音声信号出力部１０に入力してｒｅａｄｙ信号生成回路３６に送られる。
【００５１】
ｒｅａｄｙ信号生成回路３１は、供給された主音声信号Ｓ１をそのままスルーして加算器３２に送るとともに、ＣＰＵ１８（図１）の制御のもとで、副音声信号を合成すべきとき（前述のようなリモートコントローラ２７の操作時や緊急警報信号の受信時）に、主音声信号Ｓ１中の所定のサンプリング数ｎ（副音声信号と同じサンプリング数）のデータのタイミングで、１サンプル分ずつの副音声信号の入力を指示するｒｅａｄｙ信号を生成する。このｒｅａｄｙ信号は、システムバス２４（図１）経由で、ＲＯＭ１９（図１）にその副音声信号の読出し制御信号として供給される。
【００５２】
このｒｅａｄｙ信号に応じてＲＯＭ１９から読み出された副音声信号Ｓ４は、システムバス２４経由で音声信号出力部１０に入力して加算器３２，バッファレジスタ３４及び３７に送られる。バッファレジスタ３４，３７は、それぞれ３サンプル分の副音声信号Ｓ４を蓄積する容量を有している。
【００５３】
加算器３２で主音声信号Ｓ１に副音声信号Ｓ４が合成された音声信号は、音声信号回路１０から出力され、Ｄ／Ａ変換器１１（図１）を経てステレオ音声出力端子１５（図１）に送られる。
【００５４】
ｒｅａｄｙ信号生成回路３３は、供給された主音声信号Ｓ２をそのままスルーして加算器３５に送るとともに、ＣＰＵ１８の制御のもとで、副音声信号を合成すべきときに、主音声信号Ｓ２中のサンプリング数ｎ（副音声信号と同じサンプリング数）のデータのタイミングで、バッファレジスタ３４からの１サンプル分ずつの副音声信号の取り出しを指示するｒｅａｄｙ信号を生成してバッファレジスタ３４に供給する。
【００５５】
ｒｅａｄｙ信号生成回路３６は、供給された主音声信号Ｓ３をそのままスルーして加算器３８に送るとともに、ＣＰＵ１８の制御のもとで、副音声信号を合成すべきときに、主音声信号Ｓ３中のサンプリング数ｎ（副音声信号と同じサンプリング数）のデータのタイミングで、バッファレジスタ３７からの１サンプル分ずつの副音声信号の取り出しを指示するｒｅａｄｙ信号を生成してバッファレジスタ３７に供給する。
【００５６】
バッファレジスタ３４，３７は、それぞれｒｅａｄｙ信号生成回路３３，３６からｒｅａｄｙ信号が供給される毎に、１サンプル分の副音声信号Ｓ４を出力する。但し、最初に２サンプル分の副音声信号Ｓ４を蓄積するまでは、ｒｅａｄｙ信号生成回路３３，３６からｒｅａｄｙ信号が供給されても副音声信号Ｓ４を出力しない。なお、この２サンプル分という量や、バッファレジスタ３４，３７の３サンプル分という容量は、主音声信号Ｓ１，Ｓ２，Ｓ３の間のジッタを吸収するのに十分な量として決定した量であるが、あくまで一例であり、別の例として、最初に１サンプル分の副音声信号Ｓ４を蓄積した後は副音声信号Ｓ４を出力するようにしたり、バッファレジスタ３４，３７の容量を２サンプル分以下または４サンプル分以上にしてもよい。
【００５７】
バッファレジスタ３４から取り出された副音声信号Ｓ４は、加算器３５に送られる。加算器３５で主音声信号Ｓ２に副音声信号Ｓ４が合成された音声信号は、音声信号回路１０から出力され、Ｄ／Ａ変換器１２（図１）を経てイヤホン用音声出力端子１６（図１）に送られる。
【００５８】
バッファレジスタ３７から取り出された副音声信号Ｓ４は、加算器３８に送られる。加算器３８で主音声信号Ｓ３に副音声信号Ｓ４が合成された音声信号は、音声信号回路１０から出力され、赤外線発光ユニット１３（図１）を経てデジタル光音声出力端子１７（図１）に送られる。
【００５９】
この音声信号出力部１０では、主音声信号Ｓ１，Ｓ２，Ｓ３のうちの主音声信号Ｓ１のタイミングによって副音声信号Ｓ４の合成タイミングを制御するようになっており、ｒｅａｄｙ信号生成回路３１及び加算器３２がこの制御を行う側の合成系（タイミングマスター）を構成するとともに、ｒｅａｄｙ信号生成回路３３，バッファレジスタ３４及び加算器３５とｒｅａｄｙ信号生成回路３６，バッファレジスタ３７及び加算器３８とがそれぞれこの制御を受ける側の合成系（タイミングスレーブ）を構成している。
【００６０】
図３は、主音声信号Ｓ１，Ｓ２，Ｓ３の間にジッタが存在しないと想定した場合の音声信号出力部１０による副音声信号Ｓ４の合成タイミングを、前出の図６と関連付けて例示するタイミングチャートである。タイミングマスターの側では、主音声信号Ｓ１中の或る１サンプル分のデータＳ１（１）の入力タイミングＴ１で、ｒｅａｄｙ信号生成回路３１（図２）からｒｅａｄｙ信号が生成される。そして、その直後のタイミングＴ１’に、ＲＯＭ１９（図１）から副音声信号Ｓ４中の最初の１サンプル分のデータＳ４（１）が読み出されて入力し、そのデータＳ４（１）が加算器３２（図２）で主音声信号Ｓ１中のデータＳ１（１）に合成される。
【００６１】
また、タイミングスレーブの側では、そのデータＳ４（１）がバッファレジスタ３４，３７に蓄積される。このとき、バッファレジスタ３４，３７にはまだ１サンプル分の副音声信号Ｓ４しか蓄積されない。したがって、ｒｅａｄｙ信号生成回路３３，３６（図２）からそれぞれ主音声信号Ｓ２，Ｓ３中の１サンプル分ずつのデータＳ２（１）〜Ｓ２（２），Ｓ３（１）〜Ｓ３（２）の入力タイミングでｒｅａｄｙ信号が供給されても、バッファレジスタ３４，３７は副音声信号Ｓ４を出力しない。
【００６２】
主音声信号Ｓ１中のデータＳ１（１）に続く各１サンプル分のデータＳ１（２）の入力タイミングＴ２でも、タイミングマスターの側では、ｒｅａｄｙ信号生成回路３１からｒｅａｄｙ信号が生成される。それにより、その直後のタイミングＴ２’にＲＯＭ１９から副音声信号Ｓ４中の次に１サンプル分のデータＳ４（２）が読み出されて入力し、そのデータＳ４（２）が加算器３２で主音声信号Ｓ１中のデータＳ１（２）に合成される。
【００６３】
また、タイミングスレーブの側では、そのデータＳ４（２）がバッファレジスタ３４，３７に蓄積される。これにより、バッファレジスタ３４，３７にはデータＳ４（１），Ｓ４（２）という２サンプル分の副音声信号Ｓ４が蓄積される。したがって、ｒｅａｄｙ信号生成回路３３，３６からそれぞれ主音声信号Ｓ２，Ｓ３中の１サンプル分のデータＳ２（３），Ｓ３（３）の入力タイミングでｒｅａｄｙ信号が供給されると、バッファレジスタ３４，３７からデータＳ４（１）が取り出されて、そのデータＳ４（１）がそれぞれ加算器３５，３８（図２）でデータＳ２（３），Ｓ３（３）に合成される。
【００６４】
主音声信号Ｓ１中のデータＳ１（２）に続く１サンプル分ずつのデータＳ１（３）〜Ｓ１（ｎ）の入力タイミングＴ３〜Ｔｎでも、タイミングマスターの側では、ｒｅａｄｙ信号生成回路３１からｒｅａｄｙ信号が順次生成される。それにより、それぞれその直後のタイミングＴ３’〜Ｔｎ’にＲＯＭ１９から副音声信号Ｓ４中の残りの１サンプル分ずつのデータＳ４（３）〜Ｓ４（ｎ）が順次読み出されて入力し、それらのデータＳ４（３）〜Ｓ４（ｎ）が加算器３２で主音声信号Ｓ１中の１サンプル分ずつのデータＳ１（３）〜Ｓ１（ｎ）に順次合成される。
【００６５】
また、タイミングスレーブの側では、それらのデータＳ４（３）〜Ｓ４（ｎ）をバッファレジスタ３４，３７に順次蓄積する動作と、ｒｅａｄｙ信号生成回路３３，３６からのｒｅａｄｙ信号によりバッファレジスタ３４，３７からデータＳ４（２）〜Ｓ４（ｎ）を順次取り出して加算器３５，３８で主音声信号Ｓ２，Ｓ３中の１サンプル分ずつのデータＳ２（４）〜Ｓ２（ｎ＋２），Ｓ３（４）〜Ｓ３（ｎ＋２）に順次合成する動作とが並行して行われる。
【００６６】
このようにして、主音声信号Ｓ１中のサンプリング数ｎのデータＳ１（１）〜Ｓ１（ｎ）に１対１に対応してサンプリング数ｎの副音声信号Ｓ４が合成されるとともに、主音声信号Ｓ２，Ｓ３中のサンプリング数ｎのデータＳ２（３）〜Ｓ２（ｎ＋２），Ｓ３（３）〜Ｓ３（ｎ＋２）に１対１に対応してサンプリング数ｎの副音声信号Ｓ４が合成される。
【００６７】
図３に示した合成タイミングは、３系統の主音声信号Ｓ１，Ｓ２，Ｓ３の間にジッタが存在しないと想定した場合のものであるが、これらの３系統の主音声信号Ｓ１，Ｓ２，Ｓ３が、前述の（１）のようにチューナー１，ＨＤＤ２５，ＤＶＤドライブ２６という互いに異なる回路からの音声信号である場合には、主音声信号Ｓ１，Ｓ２，Ｓ３の間には通常はジッタが生じる。
【００６８】
また、これらの３系統の主音声信号Ｓ１，Ｓ２，Ｓ３が、前述の（２）の一態様としてＨＤＤ２５，ＤＶＤドライブ２６のうちの同じ１つの回路からの音声信号である場合にも、その回路からシステムバス２４を経由して主音声信号Ｓ１，Ｓ２，Ｓ３を音声信号出力部１０に入力させるので、システムバス２４が非常に込み合っているときにデータの転送速度が遅くなることを原因として、音声信号出力部１０に入力する主音声信号Ｓ１，Ｓ２，Ｓ３の間にジッタが生じることがある。
【００６９】
図４は、このようにジッタが存在する場合の副音声信号の合成タイミングを、主音声信号Ｓ２を例にとって図３及び前出の図７と関連付けて示すタイミングチャートである。主音声信号Ｓ１中のデータＳ１（２）の入力タイミングＴ２が遅れたことにより、副音声信号Ｓ４中のデータＳ４（２）の入力タイミングＴ２’が遅れている。
【００７０】
そのため、バッファレジスタ３４にデータＳ４（１），Ｓ４（２）という２サンプル分の副音声信号Ｓ４が蓄積されるタイミングが遅れるので、ｒｅａｄｙ信号生成回路３３から主音声信号Ｓ２中の１サンプル分ずつのデータＳ２（１）〜Ｓ２（３）の入力タイミングでｒｅａｄｙ信号が供給されても、バッファレジスタ３４，３７は副音声信号Ｓ４を出力しない。しかし、ｒｅａｄｙ信号生成回路３３から主音声信号Ｓ２中の１サンプル分のデータＳ２（４）の入力タイミングでｒｅａｄｙ信号が供給されると、バッファレジスタ３４からデータＳ４（１）が取り出されて、そのデータＳ４（１）が加算器３５でデータＳ２（４）に合成される。
【００７１】
その後、主音声信号Ｓ１中のデータＳ１（３）の入力タイミングＴ３は逆に早くなったことにより、副音声信号Ｓ４中のデータＳ４（３）の入力タイミングＴ３’は早くなっている。
【００７２】
そのため、バッファレジスタ３４にデータＳ４（３）が蓄積されるタイミングは早くなるが、それとは無関係に、ｒｅａｄｙ信号生成回路３３から主音声信号Ｓ２中の１サンプル分のデータＳ２（５）の入力タイミングでｒｅａｄｙ信号が供給されると、バッファレジスタ３４からデータＳ４（２）が取り出されて、そのデータＳ４（２）が加算器３５でデータＳ２（５）に合成される。
【００７３】
その後、主音声信号Ｓ１中のデータＳ１（４）〜Ｓ１（ｎ）の入力タイミングが２サンプル分（ジッタを吸収するのに十分な量として決定した量）の範囲内で遅くなったり早くなることによって副音声信号Ｓ４中のデータＳ４（４）〜Ｓ４（ｎ）の入力タイミングが遅くなったり早くなっても、やはりそれとは無関係に、ｒｅａｄｙ信号生成回路３３からのｒｅａｄｙ信号によりバッファレジスタ３４からデータＳ４（３）〜Ｓ４（ｎ）が順次取り出されて加算器３５で主音声信号Ｓ２中の１サンプル分ずつのデータＳ２（６）〜Ｓ２（ｎ＋３）に順次合成されていく。
【００７４】
このように、この音声信号出力部１０では、タイミングマスターが主音声信号Ｓ１の入力タイミングに応じて入力させた副音声信号Ｓ４が、タイミングスレーブ内で、バッファレジスタ３４，３７に一時的に蓄積された後、主音声信号Ｓ２，Ｓ３の入力タイミングに応じてバッファレジスタ３４，３７から取り出されて主音声信号Ｓ２，Ｓ３に合成される。
【００７５】
これにより、タイミングマスター側の主音声信号Ｓ１とタイミングスレーブ側の主音声信号Ｓ２，Ｓ３の間に存在するジッタをバッファレジスタ３４，３７で吸収することができるので、各系統の主音声信号Ｓ１，Ｓ２，Ｓ３の間に存在するジッタの影響を排除して、副音声信号Ｓ４が欠落したり重複して合成される現象を防止することができる。
【００７６】
また、バッファレジスタ３４，３７は、最初に２サンプル分（ジッタを吸収するのに十分な量として決定した量）の副音声信号Ｓ４を蓄積するまでは、ｒｅａｄｙ信号生成回路３３，３６からｒｅａｄｙ信号が供給されても副音声信号Ｓ４を出力しない。
【００７７】
これにより、バッファレジスタ３４，３７から一度副音声信号Ｓ４を取り出して主音声信号Ｓ２，Ｓ３への合成を開始した後も、ジッタを吸収して連続してバッファレジスタ３４，３７から副音声信号Ｓ４を取り出すこと（バッファレジスタ３４，３７内の副音声信号Ｓ４が枯渇するまでに次の副音声信号Ｓ４が入力してバッファレジスタ３４，３７に蓄積されるようにすること）ができるので、主音声信号Ｓ２，Ｓ３に副音声信号Ｓ４を連続して（欠落することなく）合成することができる。したがって、各系統の主音声信号Ｓ１，Ｓ２，Ｓ３の間に存在するジッタの影響を一層確実に排除することができる。
【００７８】
なお、以上の例では、３系統の主音声信号を出力するＨＤＤ搭載ＤＶＤレコーダーに本発明を適用している。しかし、これに限らず、複数系統の主音声信号を出力するあらゆる記録再生装置に本発明を適用してよい。
【００７９】
また、以上の例では、ＨＤＤ搭載ＤＶＤレコーダー内に音声信号出力部１０を搭載している。しかし、本発明に係る音声信号出力装置は、他の装置に接続または装着可能な単体の装置または回路として構成してもよい。
【図面の簡単な説明】
【００８０】
【図１】本発明を適用したＨＤＤ搭載ＤＶＤレコーダーの回路構成例を示すブロック図である。
【図２】図１の音声信号出力部の回路構成を示すブロック図である。
【図３】図１の音声信号出力部による副音声信号の合成タイミングを例示するタイミングチャートである。
【図４】図１の音声信号出力部による副音声信号の合成タイミングを例示するタイミングチャートである。
【図５】複数系統の主音声信号に同一の副音声信号を合成して出力する音声信号出力装置の回路構成例を示すブロック図である。
【図６】図５の音声信号出力装置による副音声信号の合成タイミングを例示するタイミングチャートである。
【図７】図５の音声信号出力装置による副音声信号の合成タイミングを例示するタイミングチャートである。
【符号の説明】
【００８１】
１  チューナー、  １０  音声信号出力装置、  １５  ステレオ音声出力端子、  １６  イヤホン用音声出力端子、  １７  デジタル光音声出力端子、  ２５  ＨＤＤ、  ２６  ＤＶＤドライブ、  ３１，３３，３６  ｒｅａｄｙ信号生成回路、  ３２，３５，３８  加算器、  ３４，３７  バッファレジスタ
【図１】
2006033278.tif 000003
【図２】
2006033278.tif 000004
【図３】
2006033278.tif 000005
【図４】
2006033278.tif 000006
【図５】
2006033278.tif 000007
【図６】
2006033278.tif 000008
【図７】
2006033278.tif 000009